(57)【要約】【課題】耐摩耗性に優れた綜絖の製造方法を提供する。【解決手段】形成されるべき各端部アイの領域内に、綜絖の製造に適用される帯の中央部分に、帯の長手方向に沿って押圧成形部６を形成し、それによって前記各端部アイの領域における前記綜絖の帯を拡巾し、次いで前記各端部アイを穿孔し形成し、前記押圧成形部又は前記端部アイの各々の一端部の周辺にこの端部から離隔して、更なる押圧成形部７，７′を設け、前記押圧成形部又は前記端部アイの各々の他方の端部の周辺にもこの端部から離隔して、更なる押圧成形部７，７′を設け、それにより前記各端部アイの領域及びその周辺に３個の押圧成形部を形成し、次いでそのうちの中央の押圧成形部の領域に前記各端部アイを穿孔し形成する。【選択図】図２
2010216068.tif 000002
【特許請求の範囲】
【請求項１】
少なくとも２個の端部アイと１個の糸アイを有して帯状部材で形成され、かつ、各端部アイの側辺部が綜絖の帯巾よりも側方にずれて突出するように設けられる綜絖の製造方法において、形成されるべき前記各端部アイの領域内に、前記綜絖の製造に適用される帯の中央部分に、帯の長手方向に沿って押圧成形部を形成し、それによって前記各端部アイの領域における前記綜絖の帯を拡巾し、次いで前記各端部アイを穿孔し形成し、
前記押圧成形部又は前記端部アイの各々の一端部の周辺にこの端部から離隔して、更なる押圧成形部を設け、
前記押圧成形部又は前記端部アイの各々の他方の端部の周辺にもこの端部から離隔して、更なる押圧成形部を設け、それにより前記各端部アイの領域及びその周辺に３個の押圧成形部を形成し、次いでそのうちの中央の押圧成形部の領域に前記各端部アイを穿孔し形成することを特徴とする綜絖製造方法。
【請求項２】
前記更なる押圧成形部の成形は、前記端部アイと前記更なる押圧成形部との間に形成されて前記綜絖の帯の長手方向軸線を横切る方向に延在するランド部が、前記綜絖の帯とほぼ同じ厚みを有するように、又はわずかに盛上げられて形成されるように、実施してなることを特徴とする請求項１に記載の綜絖製造方法。
【請求項３】
前記押圧成形部及び前記更なる押圧成形部を前記綜絖の帯の一側面にのみ形成することを特徴とする請求項１又は２に記載の綜絖製造方法。
【請求項４】
前記押圧成形部及び前記更なる押圧成形部を前記綜絖の帯の両側面に、互いに対称をなすように、形成することを特徴とする請求項１又は２に記載の綜絖製造方法。
【請求項５】
前記押圧成形部及び前記更なる押圧成形部を冷間成形により形成することを特徴とする請求項１ないし４のいずれかに記載の綜絖製造方法。
【発明の詳細な説明】
【技術分野】
【０００１】
本発明は、一般に帯状部材からなる綜絖の製造方法に関し、特に、綜絖支持レール上に綜絖を並べ、これをウェブシャフト内に吊り配置するための端部開口を有する綜絖の製造方法に関する。
【背景技術】
【０００２】
いわゆる綜絖は、既に永い間織物業界で使用されており、確実な実用段階に達している。綜絖を製造する場合、それに使用される帯状部材の形状を実質的に変更することがないため、適切な帯状部材を適用することによりその仕上げの費用は少なくなる。また、多くの場合焼入れ硬化しない鋼の帯状部材が用いられる。綜絖は元来高荷重を受けるものではないにしても、これらのことが相まってコスト上の有利性が達成される。織物業では既に大きな進歩が見られたとはいえ、最近時の装置ではこのような綜絖も進歩の対象となる。というのは、綜絖の機械的寿命は多かれ少かれ糸アイの限定された寿命に左右されるからである。近代の合成繊維の場合、糸アイは損耗が早く、こうなると製織は不可能になる。また、焼入れ鋼のような高価な材料は、多くの場合その高価格に見合う好条件を提供しない。それ故、織物業においては、このような伝統的な綜絖技術をより高性能化することに高い関心がある。
【０００３】
最近のように大量に使用される綜絖は、例えば米国特許748713号に詳細に開示されている。そこに記載された綜絖の端部アイの製造は、先ず帯状部材に長手方向に沿って長方形状の開口を穿孔し、次いで開口の巾の狭い側の辺部を押圧成形し、これにより開口の長手方向の辺部を変位させて開口を拡大するように行われる。この場合、巾の狭い辺部において楔形状に押圧成形された２つの部分に問題が生じる。即ち、綜絖両端部におけるこれらの部分は、開口内に案内される綜絖支持レールに沿って動き、短時間に損耗するため綜絖が使用できなくなる。
【０００４】
この問題の解決は既に久しく知られている。独国特許PS180525号において同一発明者が開示したように、先ず端部アイとなる部分を所要の総巾で押圧成形により成形し、次いでこのように押圧成形された部分を穿孔加工する。肉厚を薄く押圧成形された部分を取除くので、実質的に強化された端部アイが出現するのは明らかである。一方、このような解決策は非常に柔らかな材料によってのみ実施できることも明白である。こうしてまた、進歩が望まれる部分が生じるに至った。
【先行技術文献】
【特許文献】
【０００５】
【特許文献１】米国特許第７４８７１３号
【特許文献２】独国特許ＰＳ１８０５２５号
【発明の概要】
【発明が解決しようとする課題】
【０００６】
本発明は、端部アイは独国特許PS180525号の教示により形成する一方、材料としてより高強度のものを使用して製造される綜絖を提供することを課題とし、もってこれらの綜絖を近代的な織物業に供するという要望に応じようとするものである。
【課題を解決するための手段】
【０００７】
本発明によれば、上記の課題は、請求項１記載の綜絖製造方法により解決される。
本発明による綜絖製造方法においては、形成されるべき各端部アイの領域内に、好ましくは綜絖の製造に適用される帯の中央部分に、帯の長手方向に沿って押圧成形部を形成し、それによって各端部アイの領域における綜絖の帯を拡巾し、次いで各端部アイを穿孔により形成する。
【０００８】
好ましくは、長手方向に沿った上記の押圧成形部の形成と同時に、この押圧成形部の一端部の周辺にこの端部より離隔して、好ましくはその両端部の周辺にこれらの端部より離隔して、更なる押圧成形部を形成する。これにより、形成されるべき端部アイの領域及びその周辺に、好ましくは３つの押圧成形部が形成される。これら３つの押圧成形部を同時に形成すれば、それに続いて中央の押圧成形部の領域をパンチング等で穿孔することにより各端部アイが形成される。
【０００９】
本発明による好ましい綜絖製造方法は、その特徴が請求項１ないし５に記載されている。
また、本発明に関連する技術の綜絖は、その特徴として、綜絖両端部の端部アイの開口となるべき領域をその加工に先立って押圧成形により拡巾することに加えて、各端部アイの少なくとも一端部の周辺にこの一端部より離隔して、更なる押圧成形部を形成する。この更なる押圧成形部は、好ましくは、各端部アイの両端部の周辺に形成する。
【発明の効果】
【００１０】
３つの押圧成形部の間には、２つの巾の狭いランド部が押圧成形されずに残っている。２つの更なる押圧成形部は、追加又は補助押圧成形部ともいうべき部分であり、その目的は、形成されるべき端部アイの広巾にされた部分から押圧成形されない帯部分にかけての領域を拡張することにより、この部分の材料内部に生じる応力を柔らげることである。更に、これら２つの補助押圧成形部の形成は、ランド部８，８′を中央の押圧成形部に向けてわずかに盛上げるように行われるので、ランド部の厚みは、この部分の帯が拡巾されるにも拘わらず、押圧成形されない帯の厚みとほぼ同じに保持される。次いで、中央の押圧成形された部分はパンチング等の穴あけにより除去される。この穴あけは、わずかに盛上げられたランド部にかかるように行われるので、これにより綜絖支持レールとの比較的大きな接触面が確保される。このような比較的大きな接触面により、早過ぎる摩耗が防止される。高強度の帯部材を使用できるといる利点と相まって、近代の織物業における要望に対応することのできる綜絖が得られる。
【図面の簡単な説明】
【００１１】
【図１】本発明の実施の一形態による綜絖を示す斜視図である。
【図２】図１の綜絖の端部アイの押圧成形後の、但し、穿孔前の、状態を示す図である。
【図３】図２の端部アイの線Ａ−Ａに沿う断面図である。
【図４】図３の端部アイの穿孔後の状態を示す断面図である。
【図５】図１の綜絖の完成した端部アイを示す平面図である。
【発明を実施するための形態】
【００１２】
以下の実施の形態の説明と添付の図面により、本発明をより詳しく説明する。
図１は、本発明の実施の一形態による綜絖を示す斜視図である。ここで、綜絖１は糸アイ２と２つの端部アイ３，３′を有し、これらの端部アイ３，３′は綜絖支持レール４，４′上に支持され案内される。糸アイ２には経糸５が通される。
図２は、図１の綜絖１の例えば端部アイ３の形成のためにこの部分を押圧成形した後の、但し、穿孔前の、状態を示す図である。穿孔加工されるべき端部アイ３の領域には、中央の押圧成形部６が形成されている。この中央の押圧成形部６の両端部の周辺にはこれらの端部より離隔して、補助押圧成形部７，７′が形成されており、これらの両押圧成形部、６と７及び６と７′、の間には、押圧成形されずにわずかに盛上げられたランド部８，８′が形成されている。
【００１３】
図２に示されたように、綜絖１の帯状部材は、形成されるべき端部アイの開口の部分において、中央の押圧成形部６の結果として拡巾されている。中央部の押圧成形であるため、このように拡巾が行われる一方、中央の押圧成形部６に沿って伸びる端部アイの脚状の側辺部は綜絖１の帯状部材よりも厚みが減少することはない。
図３は、図２の端部アイの線Ａ−Ａに沿う断面図である。端部アイの開口を形成するための中央の押圧成形部６と補助押圧成形部７，７′が帯の両面に押印、圧迫されて形成されている。また、補助押圧成形部７，７′の成形は、ランド部８，８′の素材が帯の長手方向に変位させられて、押圧成形されない帯部材よりもわずかに盛上げられるように行われる。
【００１４】
図４は、図３の端部アイがその開口９の部分に穿孔加工された後の断面図である。補助押圧成形部７，７′は穴あけされずに残っており、ランド部８，８′は、その厚みが押圧成形されない帯部分の厚みとほぼ同一に保持されて、綜絖支持レール上の良好な接触支持が達成される。ランド部８，８′は、その厚みが、押圧成形されない帯部材よりもわずかに盛上げられるように形成することが可能である。
【００１５】
図５は、穴あけ後完成された端部アイと、２つの補助押圧成形部７，７′及びランド部８，８′を示す平面図である。
図５において明らかなように、更なる押圧成形部、即ち、補助押圧成形部７，７′の形成により、端部アイの領域における綜絖の帯の拡巾された部分から押圧成形されない帯巾の部分への移行は比較的滑らかに行われており、更にこの移行部分はランド部８，８′の形成により強度が確保されている。本発明によれば、従来の拡巾された端部アイの構成による技術水準を超えて、高強度の帯部材による構成が実現され、これにより近代の織物業に存在する要望に対処することのできる綜絖が提供される。
【００１６】
なお、図１〜図５に示されたそれぞれの押圧成形部を有する端部アイは、言うまでもなく、本発明のより良き理解のための例示を目的とするものであり、本発明はこれらに限定されるものではない。例えば、中央の押圧成形部の一端部にのみ１つの更なる押圧成形部、即ち、補助押圧成形部を設けることもでき、また、押圧成形部の形成は帯の一面のみに押印、圧迫して成形することもできる。更に、押圧成形部の成形方法は特定しないが、冷間成形法が好ましい。
【符号の説明】
【００１７】
１  綜絖
２  糸アイ
３，３′，９  端部アイ
４，４′  綜絖支持レール
５  経糸
６  中央の押圧成形部
７，７′  更なる押圧成形部（補助押圧成形部）
８，８′  ランド部
【図１】
2010216068.tif 000003
【図２】
2010216068.tif 000004
【図３】
2010216068.tif 000005
【図４】
2010216068.tif 000006
【図５】
2010216068.tif 000007